(57)【要約】【課題】センサを簡易に設置することができかつ外観も向上できる開口部装置を提供する。【解決手段】上枠（１１）、下枠（１２）、及び縦枠（１３、１４）が枠組みされた枠体（１０）と、枠体の枠組み内に移動可能に配置された障子（３０）と、障子の開放の姿勢を検知する検知センサ（５０）と、を備え、障子の戸先には見込み方向に延びるように形成された延出部（３７）を有し、検知センサは、縦枠のうち、障子の閉鎖の姿勢で縦枠と延出部との間となる位置に取り付けられている。【選択図】図５
2014142827.tif 000002
【特許請求の範囲】
【請求項１】
上枠、下枠、及び縦枠が枠組みされた枠体と、
前記枠体の枠組み内に移動可能に配置された障子と、
前記障子の開放の姿勢を検知する検知センサと、を備え、
前記障子の戸先には見込み方向に延びるように形成された延出部を有し、
前記検知センサは、前記縦枠のうち、前記障子の閉鎖の姿勢で前記縦枠と前記延出部との間となる位置に取り付けられている、開口部装置。
【請求項２】
上枠、下枠、及び縦枠が枠組みされた枠体と、
前記枠体の枠組み内に移動可能に配置され、パネル及び該パネルの縁に沿って配置された上框、下框、戸先框、及び縦框を具備する障子と、
前記障子の開放の姿勢を検知する検知センサと、を備え、
前記障子の前記戸先框は前記パネルの端部を保持するパネル保持部と、該パネル保持部から見込み方向に延びるように形成された延出部と、を有し、
前記検知センサは、前記縦枠のうち、前記障子の閉鎖の姿勢で前記縦枠と前記延出部との間となる位置に取り付けられている、開口部装置。
【請求項３】
前記縦枠は前記検知センサを正面視から隠蔽する見付け方向に延びる片を有する請求項１又は２に記載の開口部装置。
【請求項４】
前記片により、さらに前記延出部も正面視から隠蔽される請求項３に記載の開口部装置。
【請求項５】
前記戸先框の見込み面には前記縦枠と接触して止水する止水部材が配置されている、請求項１乃至４のいずれか１項に記載の開口部装置。
【発明の詳細な説明】
【技術分野】
【０００１】
本発明は、建物の開口部に配置される開口部装置に関する。
【背景技術】
【０００２】
建物の開口部に配置された窓やドア等の開口部装置が不正に開けられた際に、これをいちはやく検知して、必要な所に報知することにより被害を最小限に抑えることができる。そのために、開口部装置が不正に開けられたことを検知する技術が例えば特許文献１に開示されている。
【０００３】
特許文献１には、サッシ枠と、サッシ枠に設けられた戸と、有し、サッシ枠の上枠の室内側にアングル部を設けて、戸の上側内部にはマグネットを配置するとともに、アングル部には戸の開放時にマグネットにより作動する防犯センサを設けることが開示されている。そしてここには、防犯センサを覆い隠すカバー部材がさらに設けてある。
【先行技術文献】
【特許文献】
【０００４】
【特許文献１】特開２００１−１７５９５７号公報
【発明の概要】
【発明が解決しようとする課題】
【０００５】
特許文献１に記載のような技術によれば、確かに外観や防犯性を向上させることができる。しかしながら、検知センサ（防犯センサ）を上枠、及び戸の上部に設けることは開口部装置の構造上手間がかかることであった。特に障子（戸）の開放を検知するセンサは２つの部材の相対的な位置関係により、閉鎖と開放との別を判断するので、位置調整も必要であり、作業し易い構造が望まれていた。
【０００６】
これに対して、縦枠に検知センサを取り付けることを考える。この場合には図７（ａ）のように枠側のセンサを単に縦枠の見込み面に配置する形態、及び図７（ｂ）のように枠側のセンサを縦枠の外側に取り付ける形態がある。しかしながら、図７（ａ）のように縦枠にセンサを取り付けた形態では、センサが露出しており、外観に問題が生じることに加え、障子に透明なガラス等が用いられると、室外側からもセンサが見えてしまう。一方、図７（ｂ）のように縦枠にセンサを取り付けると、建物躯体側に加工が必要となり手間が大きい。また防水のための対策を取る必要もあった。
【０００７】
そこで本発明は、上記の点を鑑み、センサを簡易に設置することが可能であり、かつ外観も向上できる開口部装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、上枠（１１）、下枠（１２）、及び縦枠（１３、１４）が枠組みされた枠体（１０）と、枠体の枠組み内に移動可能に配置された障子（３０）と、
障子の開放の姿勢を検知する検知センサ（５０）と、を備え、障子の戸先には見込み方向に延びるように形成された延出部（３７）を有し、検知センサは、縦枠のうち、障子の閉鎖の姿勢で縦枠と延出部との間となる位置に取り付けられている、開口部装置（１）である。
【００１０】
請求項２に記載の発明は、上枠（１１）、下枠（１２）、及び縦枠（１３、１４）が枠組みされた枠体（１０）と、枠体の枠組み内に移動可能に配置され、パネル（３１）及び該パネルの縁に沿って配置された上框（３２）、下框（３３）、戸先框（３４）、及び縦框（３５）を具備する障子（３０）と、障子の開放の姿勢を検知する検知センサ（５０ａ）と、を備え、障子の戸先框はパネルの端部を保持するパネル保持部（３６）と、該パネル保持部から見込み方向に延びるように形成された延出部（３７）と、を有し、検知センサは、縦枠（１４）のうち、障子の閉鎖の姿勢で縦枠と延出部との間となる位置に取り付けられている、開口部装置（１）である。
【００１１】
請求項３に記載の発明は、請求項１又は２に記載の開口部装置（１）において、縦枠（１４）は検知センサ（５０ａ）を正面視から隠蔽する見付け方向に延びる片（１４ｂ）を有する。
【００１２】
請求項４に記載の発明は、請求項３に記載の開口部装置（１）において、片（１４ｂ）により、さらに延出部（３７）も正面視から隠蔽される。
【００１３】
請求項５に記載の発明は、、請求項１乃至４のいずれか１項に記載の開口部装置（１）において、戸先框（３５）の見込み面には縦枠（１４）と接触して止水する止水部材（３８）が配置されている。
【発明の効果】
【００１４】
本発明によれば、検知センサが縦枠に取り付けられるので簡易に施工できる。さらに、障子の閉鎖の姿勢で検知センサが縦枠と延出部との間に配置されることから延出部により検知センサが隠蔽され、外観に優れた開口部装置となる。また、障子の少なくとも一部が透明であった場合でも室外側から検知センサが見えないので防犯性の向上を図ることができる。
【図面の簡単な説明】
【００１５】
【図１】障子が閉鎖した姿勢の開口部装置１の斜視図である。
【図２】障子が開いた姿勢の開口部装置１の斜視図である。
【図３】図３（ａ）は障子が閉鎖した姿勢の開口部装置の正面図、図３（ｂ）は障子が開いた姿勢の開口部装置の正面図である。
【図４】図３（ａ）にＩＶ−ＩＶで示した線に沿った鉛直方向の断面図である。
【図５】図３（ａ）にＶ−Ｖで示した線に沿った水平方向の断面図である。
【図６】図５と同じ視点で障子が開いた姿勢の断面図である。
【図７】図７（ａ）は従来のセンサの取り付けについて説明する１つの図、図７（ｂ）は従来のセンサの取り付けについて説明する他の図である。
【発明を実施するための形態】
【００１６】
本発明の上記した作用及び利得は、次に説明する発明を実施するための形態から明らかにされる。以下、本発明を図面に示す実施形態に基づき説明する。なお、ここに示す各図では説明のため一部の部材を省略したり、部材の形状を誇張して表すことがある。
また、以下の説明では、開口部装置が建物開口部に設置された姿勢で、開口部装置により仕切られた空間から開口部装置を見たときに上下左右となる方向を見付け方向、仕切られた内外方向を見込み方向と記載することがある。さらに見付け方向に平行である面を見付け面、見込み方向に平行である面を見込み面と記載することがある。
【００１７】
図１、図２は１つの形態にかかる開口部装置１を室内側からみた斜視図であり、図１は障子３０を閉鎖した姿勢、図２は障子３０を開いた姿勢をそれぞれ表している。図３は開口部装置１を室内側正面からみた図で、図３（ａ）が障子３０を閉鎖した姿勢、図３（ｂ）が障子３０を開いた姿勢である。
また、図４は図３（ａ）にＩＶ−ＩＶで示した線に沿った開口部装置１の厚さ方向（見込み方向）を表す鉛直矢視断面図である。そして図５、図６は図３（ａ）にＶ−Ｖで示した線に沿った開口部装置１の厚さ方向（見込み方向）を表す水平矢視断面図であり、図５は障子３０を閉鎖した姿勢、図６は障子３０を開いた姿勢を表している。
図４乃至図６には室外側及び室内側となる方向を併せて示した。
以下、図１乃至図６を参照しつつ、開口部装置１について説明する。
【００１８】
開口部装置１は、特に防犯性が高められた開口部装置として屋内外の境界を形成する開口部装置や、屋内でも防犯性が重要な部屋の開口部装置等に用いることができる。
本形態の開口部装置１は、建物の開口部における躯体に固定された枠体１０、枠体１０の枠内に固定される固定パネル２０、該枠体１０の枠内に見付け方向左右に移動可能に設けられる障子３０、及び開放検知センサ５０、を備えている。各部材の構成は次の通りである。
【００１９】
枠体１０は、上枠１１、下枠１２、縦枠１３、１４、方立１５を有して構成されている。
【００２０】
上枠１１は、枠体１０の上枠を構成する長尺の部材で、図４に表れる断面を有して図１乃至図３のように見付け方向左右を長手方向として延びるように形成されている。上枠１１は、その長手方向が建物開口部の上縁に沿って配置され、建物躯体に固定されている。
【００２１】
図４に表れているように、上枠１１は、長手方向に直交する断面において、見込み方向に延びる片１１ａを有しており、その見込み方向室内側端部からは見付け方向下方に向けて片１１ｂが延在している。さらに、片１１ｂの下端からは見込み方向室外側に向けて片１１ｃが延び、その先端は見付け方向上方に延在する片を具備する。
また、片１１ａのうち片１１ｂより室外側となる所定の部位からは片１１ｄが見付け方向下方に延在している。そして、片１１ｃと片１１ｄの先端とに係止されることにより固定されるキャップ１１ｅにより片１１ａ、片１１ｂ、片１１ｃ、片１１ｄ及びキャップ１１ｅで囲まれる中空部１１ｆが形成される。このとき、キャップ１１ｅの見込み面１１ｅ’は、片１１ｃの見込み面と面一である。
【００２２】
一方、片１１ａの見込み方向室外側端部からは見付け方向上方に向けて片１１ｇが延び、その先端からさらに見込み方向室外側に片１１ｈが延在している。片１１ｈのうち片１１ｇよりも室外側にガイド片１１ｉが見付け方向下方に向けて延びている。
【００２３】
上枠１１のこのような構造により、図４にＡで示したように、中空部１１ｆ及び片１１ｇの見込み方向室外側で、片１１ｈの見付け方向下方に入隅状の部位が形成される。後述するように当該入隅状の部位（Ａ）に障子３０の上框３２が配置され、室内視から上框３２が隠蔽される。
【００２４】
下枠１２は、枠体１０の下枠を構成する長尺の部材で、図４に表れる断面を有して図１乃至図３のように見付け方向左右を長手方向として延びるように形成されている。下枠１２は、その長手方向が建物開口部の下縁に沿って配置され、建物躯体に固定されている。
【００２５】
図４に表れているようにに、下枠１２は、長手方向に直交する断面において、見込み方向に延びる片１２ａを有しており、その見込み方向室内側端部からは見付け方向上方に向けて片１２ｂが延在している。さらに、片１２ｂの上端部からは見込み方向室外側に向けて片１２ｃが延びている。
また、片１２ａのうち片１２ｂより室外側となる所定の部位からは片１２ｄが見付け方向上方に突出するように形成されている。そして、片１２ｃと片１２ｄの先端とに係止されることにより固定されるキャップ１２ｅにより片１２ａ、片１２ｂ、片１２ｃ、片１２ｄ及びキャップ１２ｅで囲まれる中空部１２ｆが形成される。
【００２６】
一方、片１２ａからは見付け方向下方に向けて片１２ｇが延び、その先端からさらに見込み方向室外側に片１２ｈが延在している。片１２ｈのうち片１２ｇよりも室外側にレール片１２ｉが見付け方向上方に向けて延びている。
【００２７】
下枠１２のこのような構造により、図４にＢで示したように、中空部１２ｆ及び片１２ｇの見込み方向室外側で、片１２ｈの見付け方向上方に入隅状の部位が形成される。後述するように当該入隅状の部位（Ｂ）に障子３０の下框３３が配置され、室内視から下框３３が隠蔽される。
【００２８】
縦枠１３は、枠体１０の２つの縦枠のうちの一方を構成する長尺の部材で、障子３０の召し合わせ框３４側の縦枠である。縦枠１３は、図５に表れる断面を有して図１乃至図３のように見付け方向上下を長手方向として延びるように形成されている。縦枠１３は、その長手方向が建物開口部の一方の縦縁に沿って配置され、上枠１１の一端部と下枠１２の一端部とを渡すように配置されて固定されるとともに、建物躯体にも固定されている。
【００２９】
図５に表れているように、縦枠１３は、長手方向に直交する断面において、見込み方向に延びる片１３ａを有しており、その見込み方向室内側端部からは見付け方向内側（他方の縦枠１４側）に向けて片１３ｂが延在している。さらに、片１３ｂの先端からは見込み方向室外側に向けて片１３ｃが延びている。
また、片１３ａのうち片１３ｂより室外側となる所定の部位からは片１３ｄが見付け方向内側に延びるように形成されている。そして、片１３ｄの先端からは該片１３ｄを延長するように縁部材１３ｅが取り付けられている。
これにより、片１３ｂと片１３ｄとの間隙に、片１３ｃと縁部材１３ｅとの間を開口とした溝状部分が形成され、後述するようにここに固定パネル２０の端部が挿入されて固定される。
【００３０】
縦枠１４は、枠体１０の２つの縦枠のうちの一方を構成する長尺の部材で、障子３０の戸先框３５側の縦枠である。縦枠１４は、図５に表れる断面を有して図１乃至図３のように見付け方向上下を長手方向として延びるように形成されている。縦枠１４は、その長手方向が建物開口部の一方の縦縁に沿って配置され、上枠１１の他端部と下枠１２の他端部とを渡すように配置されて固定されるとともに、建物躯体にも固定されている。
【００３１】
図５に表れているように、縦枠１４は、長手方向に直交する断面において、見込み方向に延びる片１４ａを有しており、その見込み方向室内側端部からは見付け方向内側（他方の縦枠１３側）に向けて片１４ｂが延在している。さらに、片１４ｂの先端からは見込み方向室外側に向けて片１４ｃが延び、その先端は見付け方向外側に延在する片を具備する。
また、片１４ａのうち片１４ｂより室外側となる所定の部位からは片１４ｄが見付け方向内側に延在している。そして、片１４ａ、片１４ｂ、片１４ｃ、及び片１４ｄにより囲まれる凹状部１４ｅが形成される。凹状部１４ｅは、片１４ｃの先端と片１４ｄの先端との間を開口とし、片１４ａを底、片１４ｂ及び片１４ｄを壁とした凹状部である。
【００３２】
方立１５は、図１乃至図３及び図５からわかるように、図５に表れる断面を有して見付け方向上下に延びる部材である。方立１５は２つの縦枠１３、１４間に、該縦枠１３、１４と概ね平行に配置され、上端が上枠１１に、下端が下枠１２に固定される。また、方立１５は図５に表れているように、上枠１１、下枠１２のうち、室内側に寄せられた位置に設置されている。
このように方立１５が２つの縦枠１３、１４間に配置されることにより、枠体１０の枠内に方立１５、上枠１１、下枠１２及び縦枠１３により囲まれた枠が形成され、ここに固定パネル２０が配置される。
【００３３】
方立１５は、図５に表れているように長手方向に直交する断面において矩形中空状のホロー部１５ａを有している。ホロー部１５ａの見込み面のうち縦枠１３に面する側の見込み方向室内外側端部からは縦枠１３に向けて片１５ｂ（室内側）及び片１５ｃ（室外側）が延在する。片１５ｃの先端からは片１５ｃを延長するように縁部材１５ｄが延びている。これにより、片１５ｂと片１５ｃ、１５ｄとの間隙に溝状部分が形成され、後述するようにここに固定パネル２０の端部が挿入されて固定される。
また、ホロー部１５ａの室外側（障子３０が配置される側）の見付け面には障子３０の召し合わせ框３４に係止する係止片１５ｅが具備されている。
【００３４】
固定パネル２０は開閉不可能に固定されたパネルである。本形態では固定パネル２０は図５からもわかるよう複層ガラスパネルであり、その四辺端部が上枠１１、下枠１２、縦枠１３、及び方立１５に差し込まれるようにして固定される。固定パネル２０の枠体１０への固定は通常の手段により行うことができる。
【００３５】
障子３０は面材としてのパネル３１を有し、その外周を縁取るように上框３１、下框３２、召し合わせ框３４、及び戸先框３５が配置されている。
【００３６】
パネル３１は、図４、図５からわかるように、複層ガラスパネルであり、２枚の板ガラスがスペーサーにより所定の間隔を保持されて平行に配置されている。これら２枚の板ガラス、及びスペーサーは接着剤により互いに固定されて、１枚のパネルとされている。
【００３７】
上框３２は、パネル３１の上縁を保持する横框として機能する長尺の部材である。上框３２は、図４に表れる断面を有して見付け方向左右を長手方向として延びるように形成されている。
上框３２は、長手方向に直交する断面において、見込み方向に延びる片３２ａを有しており、その見込み方向室内外側端部からはそれぞれ見付け方向下方に向けて片３２ｂ（室内側）、片３２ｃ（室外側）が延在している。当該片３２ｂと、片３２ｃとの間にパネル３１の上端が挿入されて固定される。
また、片３２ａからは所定の間隔を有して２つの片３２ｄ、３２ｅが見付け方向上方に向けて延びている。当該片３２ｄと片３２ｅとの間隙に上枠１１のガイド片１１ｉの下端部が差し込まれて該間隙がガイド溝として機能する。
【００３８】
下框３３は、パネル３１の下縁を保持する横框として機能する長尺の部材である。下框３３は、図４に表れる断面を有して見付け方向左右を長手方向として延びるように形成されている。
下框３３は、長手方向に直交する断面において、見込み方向に延びる片３３ａを有しており、その見込み方向室内外側端部からはそれぞれ見付け方向上方に向けて片３３ｂ（室内側）、片３３ｃ（室外側）が延在している。当該片３３ｂと、片３３ｃとの間にパネル３１の下端が挿入されて固定される。
また、片３３ａからは所定の間隔を有して２つの片３３ｄ、３３ｅが見付け方向下方に向けて延びている。当該片３３ｄと片３３ｅとの間隙には車輪３３ｆが備えられている。
【００３９】
召し合わせ框３４は、パネル３１のうち召し合わせ側の縦縁を保持する長尺の部材である。召し合わせ框３４は、図５に表れる断面を有して見付け方向上下を長手方向として延びるように形成されている。
召し合わせ框３４は、図５に表れているように長手方向に直交する断面において矩形中空状のホロー部３４ａを有している。ホロー部３４ａの見込み面のうち戸先框３５側となる面の室内外側端部のそれぞれからは戸先側に向けて片３４ｂ（室内側）及び片３４ｃ（室外側）が延在する。これにより、片３４ｂと片３４ｃとの間隙にパネル３１の、召し合わせ側端部が挿入されて固定される。
また、ホロー部３４ａの室内側（方立１５が配置される側）の見付け面には方立１５の係止片１５ｅに係止する被係止片３４ｄが具備されている。
【００４０】
戸先框３５は、パネル３１のうち戸先側の縦縁を保持する長尺の部材であり、図５に表れる断面を有して見付け方向上下を長手方向として延びるように形成されている。図５からわかるように戸先框３５は当該断面において、パネル保持部３６及び該パネル保持部３６の見込み方向室内側に具備される延出部３７を有している。
【００４１】
パネル保持部３６は、通常の戸先框と同様にパネルを保持する部位であり、長手方向に直交する断面において見込み方向に延びる片３６ａを有し、該片３６ａの室内外方向端部のそれぞれからは召し合わせ框３４の方に向けて片３６ｂ（室内側）及び片３６ｃ（室外側）がそれぞれ延在する。これにより、片３５ｂと片３５ｃとの間隙にパネル３１の戸先側端部が挿入されて固定される。
【００４２】
一方、延出部３７は、パネル保持部３６の室内側の見付け面から見込み方向室内側に延びるように形成された部位である。本形態では延出部３７は、片３６ｂから、所定の間隔を有して見込み方向室内側に延在する２つの片３７ａ、３７ｂ、及び片３７ａの先端と片３７ｂの先端とを結ぶ片３７ｃを有し、これらと片３６ｂにより矩形中空形状とされている。延出部３７の長手方向は、図４からわかるように、上部は上枠１１の中空部１１ｆの近くまで達し、下部は下枠１２の中空部１２ｆの近くまで達するように延在する。
延出部３７の見込み面のうち外側（縦枠１４の片１４ａに対向する側）には、図５からわかるように止水材３８が配置されている。また、図１乃至図３からわかるように、延出部３７の見込み面の内側には障子３０を開閉操作するための操作部３９が設けられている。
【００４３】
以上のように構成された障子３０は、枠体１０の枠内に次のように配置されている。すなわち、障子３０の下框３３に具備された車輪３３ｆが下枠１２のレール片１２ｉに転動可能に載置される。一方、障子３０の上框３２に形成されたガイド溝（片３２ｄと片３２ｅとの間隙）に上枠１１のガイド片１１ｉが挿入される。これにより、障子３０が枠体１０の枠内の見込み方向室外側で、方立１５、及び固定パネル２０の室外側を見付け方向左右に引き戸式に移動することができる。そして図１、図３（ａ）、図５のように上枠１１、下枠１２、縦枠１４、方立１５により囲まれる枠内を閉鎖した姿勢、及び図２、図３（ｂ）、図６のように当該枠内を開放した姿勢を切り替えることが可能となる。
【００４４】
この際、図４からわかるように、障子３０の上框３２は部位Ａ内に配置されるとともに、障子３０の下框３３は部位Ｂ内に配置され、室内側正面視で上框３２、下框３３が上枠１１、下枠１２にそれぞれ隠蔽されている。また、図５からわかるように障子３０の閉鎖の姿勢で障子３０の戸先框３５は、室内側正面視で縦枠１４の片１４ｂに隠蔽されている。
これにより、図３（ａ）、図３（ｂ）からわかるように、室内側正面視で框が隠蔽され、見た目がシンプルで外観のよい開口部装置となる。
【００４５】
また、戸先に注目すると図５からわかるように、縦枠１４は障子３０のパネル３１、パネル取り付け部３６よりも見込み方向に大きく形成され、当該大きく形成された部位の少なくとも一部を障子３０の延出部３７が内側から覆うように構成されている。より具体的には、本形態では延出部３７の少なくとも一部が縦枠１４に形成された凹部１４ｅ内に入り込むように縦枠１４の見込み面を覆う。これにより、開口部装置１には、該開口部装置１を閉鎖した姿勢で、縦枠１４と延出部３７との間に所定の空間である収納部１ａを形成することができる。収納部１ａでは、本形態のように障子３０の閉鎖の姿勢で縦枠１４の見込み面が戸先框３５により隠蔽されることが好ましく、これによっても外観のよい開口部装置となる。また、収納部１ａには後述するように開放検知センサ５０やその他部材をここに隠蔽して収納することが可能となる。すなわち、収納部１ａを有することにより、ここに開放検知センサ５０等の各種部材を簡易にかつ隠蔽して配置することができ、外観も向上させることが可能な開口部装置を提供することができる。
この際、障子３０の閉鎖の姿勢で止水材３８が縦枠１４の片１４ｄに接触し、止水性が高められている。
【００４６】
開放検知センサ５０は、障子３０が開放されたことを検知するセンサであり、例えば障子３０が不正に開放されたときにこれを報知する等して防犯の機能を発揮する。本形態の開放検知センサ５０は、枠側センサとしての磁気検出センサ５０ａ（例えばホールセンサ）及び、障子側センサとしてのマグネット５０ｂを有しており、障子３０が閉鎖の姿勢で両者が所定の間隔以内に接近しているときと、障子３０が開放された姿勢で両者が所定の間隔より離隔しているときと、の磁力の変化を検出している。
このようなセンサ自体は、磁気センサに限らず、光学センサ等を含めた公知のセンサを用いることができる。
【００４７】
開放検知センサ５０は、図５からわかるように磁気検出センサ５０ａは縦枠１４の凹部１４ｅの内側の片１４ａに取り付けられている。一方、マグネット５０ｂは障子３０の閉鎖の姿勢で上記近接した位置にまで接近できる延出部３７の見込み面に取り付けられている。すなわち、開放検知センサ５０は開口部装置１の収納部１ａ内に収納されている。これにより、図５のように障子３０の閉鎖の姿勢で磁気検出センサ５０ａとマグネット５０ｂとは近接して配置され閉鎖の判断が可能である。一方、図６のように障子３０の開放の姿勢で、磁気検出センサ５０ａとマグネット５０ｂとは離隔して配置され開放の判断が可能である。
【００４８】
このような開放検知センサ５０の配置によれば、図５に示したように障子３０の閉鎖の姿勢で磁気検出センサ５０ａ及びマグネット５０ｂともに延出部３７により隠蔽され、パネル３１を通して室外側から開放検知センサ５０を視認することができない。従って、不審者が開放検知センサ５０を室外側から見つけることができず、これに気がつかずに不正開放することにより開放検知センサ５０が正常に作動する。
また、縦枠１４の片１４ｂにより、開放検知センサ５０を室内視からも隠蔽することができるので、外観にも優れたものとなる。
【００４９】
さらに、開放検知センサ５０を縦枠１４及び延出部３７の見込み面に配置することにより、障子３０を開放させれば開放検知センサ５０を取り付ける面が大きく露出するので、該開放検知センサ５０の取り付けや位置調整が非常に容易である。
【００５０】
また、本形態では開放検知センサ５０は、パネル取付部３６よりも室内側に配置されるとともに、止水材３８が縦枠１４の片１４ｄに接触することにより止水性が高められ、開放検知センサ５０の水に対する保護が高められる。
【００５１】
以上説明した開口部装置１は例えば次のように作製することができる。
すなわち、上枠１１、下枠１２、縦枠１３、１４を枠組みし、枠体１０を形成するとともに磁気センサ５０ａを取り付ける穴を縦枠１４の見込み面上部に形成する。
一方、障子３０についても上框３２、下框３３、召し合わせ框３４、及び戸先框３５が枠状に框組みされ、その内側にパネル３１が保持される。このとき戸先框３５の上部にマグネット５０ｂを取り付けるための穴を形成する。
その後縦枠１４に形成した穴に磁気センサ５０ａを取り付け、戸先框３５に形成した穴にマグネット５０ｂをそれぞれ固定する。
このように形成された枠体１０を建物開口部に建て付け、枠内に障子３０を取り付ける。
【００５２】
以上のような開口部装置１の作製については、その順は特に限定されることなく、また、一部の工程を予め工場で、他の工程を施工現場で行うことができる。
例えば、枠体１０の縦枠１４の見込み面に磁気センサ５０ａを取り付けるための穴を設ける工程は、縦枠１４を枠組みする前でもよいし後でもよい。さらに枠組みの後に当該穴を設ける場合には、予め工場で行ってもよいし、施工現場で行ってもよい。さらに形成された穴への磁気センサ５０ａの取り付けも、予め工場で完了しておいてもよいし施工現場で行ってもよい。
同様に、戸先框３５にマグネット５０ｂのための穴を設ける工程は、戸先框を框組みする前でもよいし後でもよい。さらに框組みの後に当該穴を設ける場合には、予め工場で行ってもよいし、施工現場で行ってもよい。さらに形成された穴へのマグネット５０ｂの取り付けも、予め工場で完了しておいてもよいし施工現場で行ってもよい。
【００５３】
また、このように収納部１ａを備えた開口部装置であれば、建物への施工当初には開放検知センサを設置していない場合であっても、必要に応じて、後から開放検知センサを容易に設置することができる。すなわち、上記ような収納部を有する既設の開口部装置に対し、磁気センサ、マグネットを固定するための穴を縦枠及び戸先框のそれぞれに形成し、当該穴を用いて磁気センサ及びマグネットを固定する。
このように磁気センサ及びマグネットを固定した後には上記と同様の効果を奏する開口部装置となる。
【００５４】
以上説明した開口部装置１では、１つの障子３０が可動に形成され、固定パネル２０は移動が不可能に形成されている例で説明したが、開口部装置１の形態はこれに限ることなく、複数の障子が移動可能に枠内に配置される形態であってもよい。
【符号の説明】
【００５５】
１  開口部装置
１ａ  収納部
１０  枠体
１１  上枠
１２  下枠
１３  縦枠
１４  縦枠
１５  方立
２０  固定パネル
３０  障子
３１  パネル
３２  上框（横框）
３３  下框（横框）
３４  召し合わせ框（縦框）
３５  戸先框（縦框）
３６  パネル保持部
３７  延出部
３８  止水材
３９  操作部
５０  開放検知センサ（検知センサ）
【図１】
2014142827.tif 000003
【図２】
2014142827.tif 000004
【図３】
2014142827.tif 000005
【図４】
2014142827.tif 000006
【図５】
2014142827.tif 000007
【図６】
2014142827.tif 000008
【図７】
2014142827.tif 000009